(57)【要約】      （修正有）【課題】強盗、窃盗、等の犯罪者から被るタクシー運転手の被害を未然に防ぐためのタクシー防犯フェンスを提供する。【解決手段】室内の前席と後部席との間を隙間のないように、運転手側ボード１と調整用ボード２と、助手席ボード３のフェンスを、座席のヘツドの取り付け金具にボードのスティで固定し、後部座席と前席との隙間を無くし後部座席よりの危害を防止する。特に運転席手と助手席との隙間を、調整用ボード２、により金銭窓口の隙間を運転手側ボード１と、調整用ボード２、の取り付けを長穴で車種別に調整可能にし、後部座席からの危害を防止する。【選択図】図１
0003157560.tif 000002
【実用新案登録請求の範囲】
【請求項１】
タクシー防犯フェンス、は運転席ボード１と調整用ボード２と助手席ボード３からなる、フェンスを、座席のヘツドの取り付け金具に、ボードの取り付けスティで固定し、後部座席と前席との隙間を無くし後部座席よりの危害を防止する、特に運転手席と助手席との隙間を、ボードにより金銭窓口の隙間を運転手側ボード１と調整用ボード２の取り付けを長穴で車種別に調整可能にし、後部座席からの危害を防止する、また運転手側ボード１により運転手の頭部と座席のヘツドの取り付けのための加工により出来る頭部の隙間を、加工なしの１体形で隙間を無くし、今回、前席と後部座席を、全面的に遮断するタクシー防犯フェンス。
【請求項２】
全体の防護フェンスは運転手側ボード、により運転手の座席全体を隙間なく防護し、調整用ボード、は金銭窓口との隙間を調整可能とし運転手側ボード１と調整用ボード２を、１体とし運転席の座席調整を可能とし運転手と助手席の間を防護し助手席ボード３は、固定式で助手席全体を防護し３枚のボードで構成され、後部よりの危害を防ぐ防犯フェンス。
【請求項３】
請求項１運転席ボードと前記調整用ボードと助手席ボードは塩ビを使用し全体を透明な、薄いカラーで着色した、請求項１又は請求項２記載のタクシー防犯フェンス。
【請求項４】
運転席ボードと、調整用ボードと、助手席ボード、からなり前記運転席ボードを、運転席側のへッドレストの後方から前席と後部座席を仕切るよう配置し、前記助手席ボードを、金銭の授受を行うための窓口を残して、運転席と助手席との隙間に
配置し、前記金銭の授受を行うための窓口を残して、前席と後部座席とを、隙間無く遮断したことを特徴とする、タクシー防犯フェンス。
【考案の詳細な説明】
【技術分野】
【０００１】
この考案は防犯に関するものであり、強盗，窃盗、等の犯罪者から被ることあるべきタクシー運転手の被害を未然に防ぐためのタクシー防犯フェンスである。
【背景技術】
【０００２】
従来、タクシーには、運転席の背もたれ部分に保護用のアクリル板がついており、これにより、運転手が背後から危害を防止していた。
【先行技術文献】
【特許文献】
【０００３】
【特許文献１】特開２００２−１７２９９１号公報参照
【考案の概要】
【考案が解決しようとする課題】
【０００４】
従来の保護用アクリル板だけでは、運転席と助手席との間から後部座席に座った客が容易に運転手に対し、刃物、拳銃等により、危害を加える事ができ、実際に強盗殺人事件も多発している、理由、運転席だけの防犯フェンスでは隙間が多く後部座席より手を入れる事ができるためである。
【課題を解決するための手段】
【０００５】
タクシー防犯フェンスは、室内の前席と後部席との間の右側、運転手席と左側、助手席との間の、両端、中間、頭部の裏のすべてを隙間のないように、運転手側ボード１と、調整用ボード２と，助手席側ボード３の、フェンスを座席のへツドの取り付け金具に各、ボードの取り付けスティで固定し、後部座席と前席との隙間を無くし後部座席よりの危害を防止する、特に運転手側ボード１と、助手席側ボード３との隙間を調整用ボード２により金銭受け皿の隙間を無くし、運転手側ボード１と調整用ボード２の取り付けを長穴で車種別に調整可能にし、後部座席からの危害を防止する、また運転手側ボード１により運転手の頭部と座席のヘツドの取り付けのための加工により出来る頭部の隙間を加工なしの形状で隙間を無くし、後部からの刃物、拳銃等による被害を防ぎ、運転手の安全を確保する、現在、国内のタクシーのすべてが運転席のみの防護フェンスで全体的なフェンス装置なく、今回前席と後部座席を全面的に遮断するタクシー防犯フェンスです、全体の防護フェンスは１運転手側ボードにより運転手の座席全体を隙間なく防護し、２調整用ボードは金銭受け皿との隙間を長穴で調整可能とし、運転手側ボード１と調整用ボード２を１体とし運転席の座席調整を可能とし、運転手と助手席の間を防護し助手席側ボード３は固定式で助手席全体を防護し３枚のボードで構成され、後部よりの危害を防ぐ装置です、各ボードの材料は塩ビを使用し全体を透明度のあるカラーで着色した１運転手側ボードと２調製用ボードと３助手席側ボードからなるタクシー防犯フェンスです。
【考案の効果】
【０００６】
従来の保護用のフェンスでは運転席と助手席との間から後部座席に座った客が容易に運転手に対し刃物等により、危害を加える事ができ、実際に殺人事件も多く発生している、理由、隙間が多く手を入れる事が出来るためである、本考案の防犯フェンスは後部座席に座った者が包丁、拳銃等、で運転手を襲うとしても、運転席と助手席座との隙間を２調整用ボードにより金銭受け皿の隙間を長穴で調整可能にし、後部座席よりの手の差し込みを防止する、１運転手側ボードと２調整用ボードと３助手席側ボードの防犯フェンスが前席と後部座席を遮断し隙間を無くして、万一、襲撃者が下の金銭窓口より腕を入れても運転席には届きません、運転手に傷を負わせることは非常に困難である。
【図面の簡単な説明】
【０００７】
【図１】防犯フェンスの全体取り付け図
【図２】構成部品図
【図３】従来の防犯フェンス図
【図４】本考案の防犯フェンスの設置図
【図５】本考案の防犯フェンスの設置の側面図
【考案を実施するための形態】
【０００８】
以下、図面に示す実施例にしたがつて、本考案の実施態様を詳述する。
タクシーの防犯フェンスとして図１全体の取付図、運転手側ボード１と調整用ボード２と助手席側ボード３を運転手のイス８と助手席のイス８のヘツド７の取り付け金具にスティ５とボルト４とナツト６にてとりつける、運転手側ボード１と調整用ボード２と助手席側ボード３は固定金具９により各ボードを固定する、運転手側ボードと調整用ボードはボルト４とナツト６にて固定する、調整用ボード２は取り付け穴を長穴とし、各車種により金銭窓口の長さを調整する、これにより運転手の後部や左脇の隙間、金銭窓口の隙間を完全に遮断し、後部座席よりの凶器による前席への腕の進入は狭く不可能である。図２構成図、運転手側ボード、調整用ボード助手席ボード、４スティ５ボルト６ナツト９固定金具の構成部品図、図３従来の防犯フェンスの全体図、運転手側ボード、図４本考案の防犯フェンスの設置図、図５本考案の防犯フェンスの側面図。
【０００９】
本考案の防犯フェンスは、今迄の防犯フェンスの欠点を、完全にカバーし、タクシー強盗の発生を防止し、運転手の深夜の勤務を安全に確保する為の防犯フェンスである。
【産業上の利用可能性】
【００１０】
この発明はタクシーに効果的であるが、他の車両にも適用可能である。
【符号の説明】
【００１１】
１  運転手側ボード
２  調整用ボード
３  助手席ボード
４  ボルト
５  スティ
６  ナツト
７  イスのヘツド
８  運転手と助手席のイス
９  固定金具
【図１】
0003157560.tif 000003
【図２】
0003157560.tif 000004
【図３】
0003157560.tif 000005
【図４】
0003157560.tif 000006
【図５】
0003157560.tif 000007
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
運転手席側ボード１と調整用ボード２と、助手席側ボード３の３枚からなる、タクシー防犯フェンスであって、運転席の背もたれの上部の運転席のイスのへッドに運転手席側ボード１を固定し、助手席側ボード３は助手席の上部の助手席のイスのヘッドに固定し、これにより運転手席と助手席の肩より上部は前席と後部席が遮断され、運転手側ボード１と助手席側ボード３との肩より下の隙間は、運転手側ボード１の左下にもうけた穴と調整ボード２にもうけた長穴をもちいて固定する事で運転席側ボード１と助手席側ボード３と調整用ボード２の取り付けにより後部座席と前席の隙間を遮断し、後部座席よりの危害を防止するタクシー防犯フェンス。
【請求項２】
運転手席側ボード１は運転手席の上部のイスのへッドにボルト４とステイ５と穴を有する固定金具９とにナツト６を用いて固定し助手席側ボード３は助手席の上部のイスのへッドにボルト４とステイ５と穴を有する固定金具９とにナット６を用いて固定する、調整用ボード２は運転手席側ボード１の左側下部の穴と調整用ボード２の長穴とをボルト４とナット６で固定し金銭の受け払い窓口の隙間を車種別に長穴により調整可能とするこれにより調整用ボード２で運転手席側ボード１と助手席側ボード３との肩より下の隙間の後部座席と前座席を遮断し後部よりの危害を防止するタクシー防犯フェンス。
【請求項３】
運転手席側ボード１と調整用ボード２と助手席側ボード３の３枚の材料は塩化ビニールを使用し全体を透明なカラーで着色した請求項１に記載のタクシー防犯フェンス。
【請求項４】
運転手席側ボード１と調整用ボード２は運転席のへッドに取り付け運転席の前後の移動を可能としイスのへッドと共に脱着可能とし助手席側ボード３は助手席のへッドに取り付け助手席の前後の移動を可能としイスのへッドと共に脱着可能とした請求項１に記載のタクシー防犯フェンス。